(57)【要約】【課題】下枠と浴室床との間を水密できると共に、左右縦枠下部の水密性を向上できる見栄えの良い浴室サッシとする。【解決手段】上枠３と下枠４と左右の縦枠５で方形状の枠１内に障子２を開閉自在に取付け、前記下枠４は下枠本体１０の浴室側面１０ａに延出部１１を設けたものとし、その延出部１１と浴室床６との間に定形水密材１２を設けて水密すると共に、その延出部１１を縦枠５の浴室側面５ａよりも突出して縦枠５、下枠本体１０の見込み寸法を小さくして全体の見込み寸法を小さくできるようにし、前記縦枠５の浴室側面５ａに取付けた端部部品２０で延出部１１の端面１１ａを覆って見栄えを良くすると共に、端部部品２０を定形水密材１２の長手方向端部寄りに接して左右縦枠下部の水密性を向上した浴室サッシ。【選択図】図３
2007154563.tif 000002
【特許請求の範囲】
【請求項１】
上枠と下枠と左右の縦枠とからなる枠に障子を開閉自在に取付けた浴室サッシであって、
前記下枠は、下枠本体の浴室側面に、前記縦枠の浴室側面よりも突出した延出部を備え、
前記延出部と浴室床との間が定形水密材で水密され、
前記左右の縦枠の浴室側面と前記延出部の長手方向の端面とに亘って端部部品がそれぞれ取付けられ、
この各端部部品は、前記定形水密材の長手方向端部寄りにそれぞれ接していることを特徴とする浴室サッシ。
【請求項２】
端部部品は、延出部の長手方向の端面を覆う覆い部を有する請求項１記載の浴室サッシ。
【請求項３】
下枠本体の浴室側面と縦枠の浴室側面が面一に連続し、
定形水密材は、前記下枠本体の浴室側面と縦枠の浴室側面とに亘って接し、かつ浴室床に接し、
端部部品は、前記定形水密材の縦枠の浴室側面に接した部分を浴室床に押し付けるようにした請求項１又は２記載の浴室サッシ。
【請求項４】
下枠本体の浴室側面に一体的に設けた延出片と、この延出片に取付けたカバーで延出部とし、
このカバーは下枠本体の上面と連続し、前記延出片が定形水密材に接するようにした請求項１又は２又は３記載の浴室サッシ。
【請求項５】
下枠本体の長手方向の端面と縦枠の内側面とが止水シーラーを介在して接し、かつ延出部の長手方向の端面と端部部品が延出部用止水シーラーを介在して接している請求項１〜４いずれか一項記載の浴室サッシ。
【発明の詳細な説明】
【技術分野】
【０００１】
本発明は、浴室の出入口部に取付ける浴室サッシに関する。
【背景技術】
【０００２】
特許文献１に開示された浴室サッシが知られている。
この浴室サッシは、上枠と下枠と左右の縦枠を連結した枠に障子を開閉自在に取付けしたもので、その枠を躯体の開口部（浴室の出入口用開口部）に取付けている。
このような浴室サッシにおいて、浴室の浴室床板と下枠との間を水密することが重要で、前述の特許文献１に開示された浴室サッシにおいては、下枠本体の浴室側面に延設部を一体的に設けて下枠とし、この延設部の端部を浴室床板に止水部材を介して接することで、浴室床板と下枠との間を水密している。
【０００３】
【特許文献１】特開２０００−８７１６号公報
【発明の開示】
【発明が解決しようとする課題】
【０００４】
前述した浴室サッシにおいて、枠の見込み寸法（つまり、浴室サッシの見込み寸法）を小さくする等のために、下枠の延設部を縦枠の浴室面よりも突出させることが考えられるが、下枠の延設部が縦枠の浴室側面よりも突出していると、左右縦枠下部の水密性が十分でない。
【０００５】
本発明の目的は、下枠と浴室床との間を水密できると共に、左右の縦枠の下部の水密性を向上できる見栄えの良い浴室サッシを提供することである。
【課題を解決するための手段】
【０００６】
本発明は、上枠と下枠と左右の縦枠とからなる枠に障子を開閉自在に取付けた浴室サッシであって、前記下枠は、下枠本体の浴室側面に、前記縦枠の浴室側面よりも突出した延出部を備え、前記延出部と浴室床との間が定形水密材で水密され、前記左右の縦枠の浴室側面と前記延出部の長手方向の端面とに亘って端部部品がそれぞれ取付けられ、この各端部部品は、前記定形水密材の長手方向端部寄りにそれぞれ接していることを特徴とする浴室サッシである。
この浴室サッシであれば、端部部品は定形水密材の端部寄りに接しているから、この端部部品によって左右縦枠下部の水密性を向上できる。
【０００７】
本発明においては、端部部品は、延出部の長手方向の端面を覆う覆い部を有するものにできる。
【０００８】
このようにすれば、端部部品の覆い部で延出部の端面を確実に覆うことで、見栄えをより一層良いものにできる。
【０００９】
本発明においては、下枠本体の浴室側面と縦枠の浴室側面が面一に連続し、定形水密材は、前記下枠本体の浴室側面と縦枠の浴室側面とに亘って接し、かつ浴室床に接し、端部部品は、前記定形水密材の縦枠の浴室側面に接した部分を浴室床に押し付けるようにできる。
【００１０】
このようにすれば、下枠本体、縦枠の浴室側面と浴室床との間を定形水密材で水密できる。
【００１１】
本発明においては、下枠本体の浴室側面に一体的に設けた延出片と、この延出片に取付けたカバーで延出部とし、このカバーは下枠本体の上面と連続し、前記延出片が定形水密材に接するようにできる。
【００１２】
このようにすれば、下枠本体の上面とカバーが連結するので、下枠の見栄えが良い。
【００１３】
本発明においては、下枠本体の長手方向の端面と縦枠の内側面とが止水シーラーを介在して接し、かつ延出部の長手方向の端面と端部部品が延出部用止水シーラーを介在して接することができる。
【００１４】
このようにすれば、下枠本体と縦枠との間及び延出部と端部部品との間から浴室内の湯水が脱衣室側に浸入することを防止できる。
【発明の効果】
【００１５】
本発明によれば、下枠本体に設けた延出部と浴室床との間を定形水密材で水密したことによって、下枠と浴室床との間を水密できる。
また、前記延出部は縦枠の浴室側面よりも突出しているので、縦枠、下枠本体の見込み寸法を小さくして枠の見込み寸法を小さくできるから、浴室サッシの見込み寸法を小さくできる。
また、延出部の端面を端部部品で覆うことができるから、見栄えが良い。
また、前記端部部品は定形水密材の端部寄りに接しているから、この端部部品によって枠の左右縦枠下部の水密性を向上できる。
【発明を実施するための最良の形態】
【００１６】
図１と図２に示すように、枠１に障子２を開閉自在に取付けて浴室サッシとしてある。
前記枠１は上枠３、下枠４、左右の縦枠５を連結した方形状で、この枠１が躯体の開口部（浴室の出入口用開口部）に取付けられ、下枠４が浴室床６と脱衣室床７との間に位置する。
【００１７】
前記下枠４は、下枠本体１０の浴室側面１０ａに延出部１１を浴室側に向けて設けたもので、その延出部１１は浴室床６よりも浴室側に張り出し、その延出部１１と浴室床６との間に定形水密材１２を設けて下枠４と浴室床６との間を水密している。
【００１８】
前記延出部１１は下枠本体１０の浴室側面１０ａ及び縦枠５の浴室側面５ａよりも浴室側に向けて突出しているので、縦枠５の見込み寸法（浴室・脱衣室側方向の寸法）は延出部１１の突出寸法に関係なく小さくできる。上枠３も同様である。
したがって、枠１の見込み寸法を小さくして浴室サッシの見込み寸法を小さくできる。
【００１９】
好ましくは、縦枠５の浴室側面５ａと下枠本体１０の浴室側面１０ａを面一として枠１の見込み寸法をより小さくする。
より好ましくは、縦枠５、下枠本体１０、上枠３の浴室側面５ａ，１０ａ，３ａを面一とし、枠の浴室側の面を連続した平坦な面とすることで、見栄えを良くする。
【００２０】
前記左右の縦枠５の浴室側面５ａと延出部１１の長手方向の端面１１ａとに亘って端部部品２０を取付け、この端部部品２０で延出部１１の長手方向の端面１１ａを覆って見栄えを良くしてある。
この端部部品２０は、前述した定形水密材１２の長手方向の端部寄りに接して浴室床６と枠１の左右縦枠下部との間の水密性を向上している。
【００２１】
次に、各部の具体形状の一例を説明する。
前記延出部１１は、図３に示すように下枠本体１０の浴室側面１０ａに一体的に設けた延出片１３と、この延出片１３の上面と下枠本体１０の浴室側面１０ａとに亘って取付けたカバー１４を有し、延出部１１は中空形状である。
例えば、前記カバー１４は延出片１３の上面と下枠本体１０の浴室側面１０ａとに係合して取付けてある。
具体的には、延出片１３に鉤片１５を設けて第１係止部１５ａとし、下枠本体１０の浴室側面１０ａに係止受片１６を設けて第２係止部１６ａとする。カバー１４の浴室側に第１係合片１７を設けて第１係合部１７ａとし、下枠本体側に第２係合片１８を設けて第２係合部１８ａとする。
前記第１・第２係合部１７ａ，１８ａを第１・第２係止部１５ａ，１６ａにそれぞれ係合してカバー１４を取付ける。
前記カバー１４の上面１４ａは下枠本体１０の上面１０ｂと連続する。
前記延出部１１は前述の端部部品２０を取付けるための係止部１９を有する。例えば、前記延出片１１と鉤片１５とカバー１４と第２係合片１８で係止部１９を形成し、この係止部１９は長手方向の端面に開口している。
【００２２】
前記定形水密材１２は、下枠本体１０の浴室側面１０ａ、延出部１１（延出片１３）の下面と浴室床６との間に圧着する。
例えば、定形水密材１２は縦部１２ａと横部１２ｂで断面鉤形状で、その縦部１２ａが下枠本体１０の浴室側面１０ａと浴室床６との間に位置し、その両者に圧着し、横部１２ｂが延出部（延出片１３）の下面と浴室床６との間に位置し、その両者に圧着する。
【００２３】
図４〜図６に示すように、前記定形水密材１２は下枠４よりも長尺で、その長手方向両端面１２ｃは下枠４の長手方向端面（延出部１１の長手方向の端面１１ａ）よりも突出して縦枠５側に張り出し、定形水密材１２の長手方向の端部寄りが縦枠５の浴室側面５ａに接すると共に、浴室床６に接する。
この定形水密材１２の長手方向両端部における脱衣室側部には立上り水密材１２ｄが一体的に設けてある。この立上り水密材１２ｄは縦枠５の下部から上方に向けて位置して縦枠５の脱衣側面に接している。例えば、図６に示すように縦枠５の浴室側面５ａを形成する部分の下端寄りを切欠きし、その切欠き部を通して縦枠５の脱衣室側面に接する。
【００２４】
前記下枠本体１０の長手方向の端面１０ｃと縦枠５の面内方向の内側面５ｂの下部とを止水シーラー３０を介在して突き当て、縦枠５の孔３１からビス３２を下枠本体１０のビスホール３３に螺合して連結される。
そして、下枠本体１０の浴室側面１０ａと縦枠５の浴室側面５ａとが面一に連続する。
前記止水シーラー３０の浴室側には延出部用止水シーラー３４が一体的に設けてあり、この延出部用止水シーラー３４で延出部１１の端面１１ａと端部部品２０との間を水密する。
【００２５】
前記端部部品２０は、裏面２０ａと一側面２０ｂと他側面２０ｃと上面２０ｄと下面２０ｅと表面２０ｆで囲まれたブロック形状である。その一側面２０ｂの上部寄りは他側面２０ｃと平行に対して斜めで、下部寄りは他側面２０ｃと平行となっていると共に、上面２０ｄと表面２０ｆは円弧形状に湾曲し、この端部部品２０の外観形状は上下方向に円弧形状で上部から下部に向けて順次幅狭くなり、見栄えが良い。
なお、一側面２０ｂは上下全長が他側面２０ｃと平行でも良い。つまり、端部部品２０の一側面２０ｂは延出部１１の端面１１ａと相対向し、かつその端面１１ａに接して覆う覆い部を有するものとすれば良い。
【００２６】
前記端部部品２０は、裏面２０ａが縦枠５の浴室側面５ａに接すると共に、一側面２０ｂの下部（前述の覆い部）が前記延出部１１の端面１１ａに接する（この実施の形態では前述の延出部用止水シーラー３４を介在して接する）ように取付けられる。
例えば、端部部品２０の裏面２０ａに裏面突起２１、一側面２０ｂの下部に側面突起２２がそれぞれ一体的に備え、その裏面突起２１が縦枠５の浴室側面５ａに開口した取付用孔２３に嵌合して縦枠５の浴室側面５ａに接して取付けられる。
そして、縦枠５と下枠４を連結する際に、側面突起２２が延出部１１の係止部１９に嵌まり合うように係合して延出部１１の端面１１ａに接して取付けられる。
【００２７】
前述のようにして枠１を組み立てた後に、前述の定形水密材１２を下枠本体１０の浴室側面１０ａと延出部１１の下面とに亘って接着剤などで貼着して取付け、その立上り水密材１２ｄを縦枠５の脱衣室側面に接して取付ける。
このようにして定形水密材１２、端部部品２０を取付けることで、前記端部部品２０の下面２０ｃが図４に示すように、定形水密材１２の端部寄り上面（横部１２ｂの上面）に圧接する。
前述の枠１を躯体の開口部に取付けることで、定形水密材２０が浴室床６に押しつけられる。
【００２８】
次に、本発明の他の実施の形態を説明する。
前記端部部品２０は係合による取付けに限ることはなく、図示は省略するが、ビス締めによる取付け、接着剤などによる貼着での取付けでも良い。
【００２９】
前記定形水密材１２は図７に示すように、縦枠５の浴室側面５ａにおける内側面５ｂと反対側の面５ｃまで張り出しても良いし、定形水密材１２は矩形断面形状としても良い。この場合には、縦枠５の浴室側面５ａを下端部まで連続させ、その全面に定形水密材１２を接する。なお、定形水密材１２は立上り水密材１５ｄを備えていない。
また、止水シーラー３０と延出部用止水シーラー３４を図７に示すように別々としても良い。
【図面の簡単な説明】
【００３０】
【図１】本発明の実施の形態を示す浴室サッシの縦断面図である。
【図２】本発明の実施の形態を示す浴室サッシの横断面図である。
【図３】下枠部分の拡大縦断面図である。
【図４】一方の縦枠と下枠の連結部の浴室側正面図である。
【図５】一方の縦枠と下枠の連結部の斜視図である。
【図６】下枠と縦枠と端部部品の分解斜視図である。
【図７】第２の実施の形態を示す一方の縦枠と下枠の連結部の斜視図である。
【符号の説明】
【００３１】
１…枠、２…障子、３…上枠、４…下枠、５…縦枠、５ａ…浴室側面、６…浴室床、１０…下枠本体、１０ａ…浴室側面、１１…延出部、１１ａ…端面、１２…定形水密材、１３…延出片、１４…カバー、２０…端部部品、３０…止水シーラー、３４…延出部用止水シーラー。
【図１】
2007154563.tif 000003
【図２】
2007154563.tif 000004
【図３】
2007154563.tif 000005
【図４】
2007154563.tif 000006
【図５】
2007154563.tif 000007
【図６】
2007154563.tif 000008
【図７】
2007154563.tif 000009